(57)【特許請求の範囲】
【請求項１】
光書込み装置本体と、
前記光書込み装置本体を保持する保持部とを有し、
前記光書込み装置本体は、
光を発する発光部が長手方向に多数設けられた基板と、
前記基板の発光部からの光を収束させる収束部材と、
前記基板及び収束部材を支持する本体部と、
前記本体部の長手方向に複数設けられた位置決め部と、
前記位置決め部の一つが選択されて前記位置決め部を前記保持部に固定する固定部と、
を有する光書込み装置。
【請求項２】
前記固定部は、前記保持部に固定され、前記位置決め部が突き当たる突き当て部と、前記突き当て部を前記位置決め部側へ付勢する付勢部材と、から構成されている請求項１記載の光書込み装置。
【請求項３】
前記付勢部材は、前記突き当て部に固定されている請求項２記載の光書込み装置。
【請求項４】
前記突き当て部は、前記保持部の長手方向で反転して取り付け可能に前記保持部に固定されている請求項２又は３いずれか記載の光書込み装置。
【請求項５】
前記位置決め部は、前記本体部に形成された複数の段部から構成され、前記付勢部材が前記段部の一つを選択して押圧するようにした請求項２乃至４いずれか記載の光書込み装置。
【請求項６】
前記位置決め部は、前記本体部に形成された複数の段部から構成され、前記突き当て部が前記段部の一つを選択して突き当たるようにした請求項２乃至４いずれか記載の光書込み装置。
【請求項７】
前記位置決め部の位置を記憶する記憶部をさらに有する請求項１乃至６いずれか記載の光書込み装置。
【請求項８】
像を保持する像保持体と、
光書込み装置本体と、
前記光書込み装置本体を保持する保持部とを有し、
前記光書込み装置本体は、
光を前記像保持体に向けて発する発光部が長手方向に多数設けられた基板と、
前記基板の発光部からの光を前記像保持体に収束させる収束部材と、
前記基板及び収束部材を支持する本体部と、
前記本体部の長手方向に複数設けられた位置決め部と、
前記位置決め部の一つが選択されて前記位置決め部を前記保持部に固定する固定部と、
を有する画像形成装置。
【発明の詳細な説明】
【技術分野】
【０００１】
本発明は、光書込み装置及び画像形成装置に関する。
【背景技術】
【０００２】
特許文献１は、光の照射によって潜像が形成される感光体ドラムと、前記感光体ドラムの軸方向に沿って延びると共に、前記感光体ドラムの表面へ光を照射する複数の発光素子が並べられ、フレーム部材に両端部が支持された脱着可能な発光器と、前記発光器の外面である第１外面部を付勢する第１付勢手段と、前記第１外面部の反対側の外面である第２外面部を付勢する第２付勢手段と、を備えることを特徴とする画像形成装置を開示する。
【０００３】
特許文献２は、軸方向両端部の非画像領域に位置決め用ベース部材を有する回転自在に形成された静電潜像担持体と、該静電潜像担持体と対向して、その長手方向が前記軸方向と略平行に延在するように配設され、静電潜像担持体上に光を照射して静電潜像を形成すると共に、前記位置決め用ベース部材のそれぞれと当接する当接部材を有する略箱体状に形成された書き込みヘッドと、該書き込みヘッドと対向し、この書き込みヘッドを弾性部材を介して支持すると共に、該書き込みヘッドに対して移動可能に形成された可動支持部材と、前記書き込みヘッドと前記可動支持部材とで形成される構造体の固有振動数を変更することにより、外乱による加振周波数との共振を回避して前記書き込みヘッドの振動を抑制する振動抑制手段とを備えることを特徴とする画像形成装置を開示する。
【０００４】
特許文献３は、回転する像保持体の軸線方向である第１方向に沿って設けられた複数の発光素子を備え、当該複数の発光素子にて当該複数の発光素子から当該像保持体へと向かう第２方向に光を照射する照射部材と、前記照射部材の前記第１方向の一端側にて前記像保持体と接触して、当該照射部材と当該像保持体との前記第２方向の位置決めを行う第１位置決め手段と、前記照射部材の前記第１方向の他端側にて前記像保持体と接触して、当該照射部材と当該像保持体との前記第２方向の位置決めを行う第２位置決め手段と、前記照射部材の前記第1方向の一端側にて前記第１位置決め手段と前記像保持体とが離れないように当該照射部材に前記第２方向に沿う力を付与する第１付与部材と、前記照射部材の前記第1方向の他端側にて前記第２位置決め手段と前記像保持体とが離れないように当該照射部材に前記第２方向に沿う力を付与する第２付与部材と、前記第１付与部材と前記第２付与部材との間において、前記照射部材に前記第１方向に沿う力を付与する第３付与部材とを含む露光装置を開示する。
【先行技術文献】
【特許文献】
【０００５】
【特許文献１】特開２００９−０１２２８１号公報
【特許文献２】特開２００６−１９５１２９号公報
【特許文献３】特開２００９−２３７３６８号公報
【発明の概要】
【発明が解決しようとする課題】
【０００６】
本発明の目的は、光書込み装置本体の変形を避けつつ、共振するのを防止することができる光書込み装置及び画像形成装置を提供することである。
【課題を解決するための手段】
【０００７】
請求項１に係る本発明は、光書込み装置本体と、前記光書込み装置本体を保持する保持部とを有し、前記光書込み装置本体は、光を発する発光部が長手方向に多数設けられた基板と、前記基板の発光部からの光を収束させる収束部材と、前記基板及び収束部材を支持する本体部と、前記本体部の長手方向に複数設けられた位置決め部と、前記位置決め部の一つが選択されて前記位置決め部を前記保持部に固定する固定部と、を有する光書込み装置である。
【０００８】
請求項２に係る本発明は、固定部は、前記保持部に固定され、前記位置決め部が突き当たる突き当て部と、前記突き当て部を前記位置決め部側へ付勢する付勢部材と、から構成されている請求項１記載の光書込み装置である。
【０００９】
請求項３に係る本発明は、前記付勢部材は、前記突き当て部に固定されている請求項２記載の光書込み装置である。
【００１０】
請求項４に係る本発明は、前記突き当て部は、前記保持部の長手方向で反転して取り付け可能に前記保持部に固定されている請求項２又は３いずれか記載の光書込み装置である。
【００１１】
請求項５に係る本発明は、前記位置決め部は、前記本体部に形成された複数の段部から構成され、前記付勢部材が前記段部の一つを選択して押圧するようにした請求項２乃至４いずれか記載の光書込み装置である。
【００１２】
請求項６に係る本発明は、前記位置決め部は、前記本体部に形成された複数の段部から構成され、前記突き当て部が前記段部の一つを選択して突き当たるようにした請求項２乃至４いずれか記載の光書込み装置である。
【００１３】
請求項７に係る本発明は、前記位置決め部の位置を記憶する記憶部をさらに有する請求項１乃至６いずれか記載の光書込み装置である。
【００１４】
請求項８に係る本発明は、像を保持する像保持体と、光書込み装置本体と、前記光書込み装置本体を保持する保持部とを有し、前記光書込み装置本体は、光を前記像保持体に向けて発する発光部が長手方向に多数設けられた基板と、前記基板の発光部からの光を前記像保持体に収束させる収束部材と、前記基板及び収束部材を支持する本体部と、前記本体部の長手方向に複数設けられた位置決め部と、前記位置決め部の一つが選択されて前記位置決め部を前記保持部に固定する固定部と、を有する画像形成装置である。
【発明の効果】
【００１５】
請求項１に係る本発明によれば、基板支持部の変形を避けつつ、基板支持部が共振するのを防止することができる光書込み装置を提供することができる。
【００１６】
請求項２に係る本発明によれば、請求項１に係る本発明の効果に加え、本体部の長手方向両方向の位置決めをすることができる。
【００１７】
請求項３に係る本発明によれば、請求項２に係る本発明の効果に加え、突き当て部材と付勢部材とを別々に設ける場合と比較して、部品点数を少なくすることができる。
【００１８】
請求項４に係る本発明によれば、請求項２又は３に係る発明の効果に加え、突き当て部が保持部の長手方向で反転して取り付け不可能な場合と比較して、長手方向のスペースを小さくすることができる。
【００１９】
請求項５に係る発明によれば、請求項２乃至４に係る発明の効果に加え、突き当て部を共通化することができる。
【００２０】
請求項６に係る発明によれば、請求項２乃至４に係る発明の効果に加え、付勢部材を共通化することができる。
【００２１】
請求項７に係る本発明によれば、請求項１乃至６に係る発明の効果に加え、前記位置決め部の位置を記憶する記憶部を有しない場合と比較して、光源の位置を検査するときに、簡単に光源の基準位置を補正することができる。
【００２２】
請求項８に係る本発明によれば、基板支持部の変形を避けつつ、基板支持部が共振するのを防止することができる画像形成装置を提供することができる。
【図面の簡単な説明】
【００２３】
【図１】本発明の第一の実施形態に係る画像形成装置を示す模式的断面図である。
【図２】本発明の第一の実施形態に用いた光書込み装置本体を示す斜視図である。
【図３】本発明の第一の実施形態に用いた光書込み装置本体を示す断面斜視図である。
【図４】本発明の第一の実施形態に係る光書込み装置を示す断面斜視図である。
【図５】本発明の第一の実施形態に係る光書込み装置の前側を示す縦断面図である。
【図６】本発明の第一の実施形態に係る光書込み装置の前側を示す断面斜視図である。
【図７】本発明の第一の実施形態に係る光書込み装置の後側を示す横断面図である。
【図８】本発明の第一の実施形態に係る光書込み装置の後側を示す縦断面図である。
【図９】本発明の第二の実施形態に係る光書込み装置の要部を示す断面図である。
【図１０】本発明の第三の実施形態に係る光書込み装置の要部を示す断面図である。
【図１１】本発明の第四の実施形態に係る光書込み装置の要部を示す断面図である。
【図１２】本発明の第五の実施形態に係る光書込み装置の要部を示す断面図である。
【図１３】本発明の第六の実施形態に用いた制御部を示すブロック図である。
【図１４】本発明の第六の実施形態において、発光点と位置決め部との寸法関係を示す図である。
【発明を実施するための形態】
【００２４】
次に、本発明の実施の形態について図面を参照して詳細に説明する。
【００２５】
図１は本発明の一実施形態に係る画像形成装置１０を示す概略図である。
【００２６】
画像形成装置１０は、画像形成装置本体１２を有する。画像形成装置本体１２の下部には用紙収容部１４が設けられ、また、画像形成装置本体１２の上部には、用紙排出部１６が設けられている。用紙収容部１４には、多数枚の用紙が収容されている。用紙収容部１４から用紙排出部１６までに用紙搬送路１８が形成されている。
【００２７】
用紙収容部１４の最上位に配置された用紙は、ピックアップロール２０により送り出され、レジストロール２２により一時停止されて位置決め規制され、予め定められてタイミングで画像形成部２４へ搬送される。
【００２８】
画像形成部２４は、例えば中間転写ベルト方式であり、中間転写ベルト２６を有する。この中間転写ベルト２６は、複数の支持ロール２８に支持され、図１において、例えば反時計方向に回転する。この中間転写ベルト２６の下方には、例えばシアン、マゼンダ、イエロー及びブラックから成る４つの画像形成ユニット３０が配置されている。画像形成ユニット３０は、ユニット本体３２を有し、このユニット本体３２に像保持体３４、現像装置３６、帯電器３８及び清掃部材４０が組み込まれている。また、像保持体３４に対向して光書込み装置４２が配置されている。さらに中間転写ベルト２６を挟んで一次転写ロール４４が像保持体３４に対向して配置されている。二次転写ロール４６は、用紙搬送路１８中にあって、中間転写ベルト２６を挟んで支持ロール２８に対向して設けられている。
【００２９】
前述した光書込み装置４２は、カラー画像信号に同期してレーザを発光し、帯電装置３８により帯電された像保持体３４上に潜像を形成する。現像装置３６は、像保持体３４上に形成された潜像を現像剤により現像する。像保持体３４上の現像剤像は一次転写ロール４４により中間転写ベルト２６に転写される。中間転写ベルト２６に転写された現像剤像は、二次転写ロール４６により用紙に転写される。像保持体３４上に残った現像剤は、例えばブレードから構成された清掃部材４０によりクリーニングされる。
【００３０】
定着装置４８は、例えば加熱ロール５０と加圧ロール５２とから構成され、用紙に転写された現像剤を熱と圧力により用紙に定着する。この定着装置４８により現像剤が定着された用紙は、排出ロール５４により用紙排出部１６へ排出される。
【００３１】
次に光書込み装置４２について詳述する。
図２乃至図８において、光書込み装置４２は、ＬＥＤを用いたもので、前述した像保持体３４の軸方向と平行に棒状に形成されている。像保持体３４の軸方向と水平方向で直角に交わる方向をＸ、方向Ｘと垂直方向で直角に交わる方向をＹ、像保持体３４の軸方向をＺとする。
【００３２】
光書込み装置４２は、図２及び図３に示すように、Ｚ方向を長手方向とする光書込み装置本体５６を有する。光書込み装置本体５６は、基板５８、収束部材（レンズ）６０及び本体部６２を有する。基板５８は、下側には回路が形成され、上側には多数のＬＥＤ発光部が長手方向（Ｚ方向）に多数形成されている。
【００３３】
収束部材６０は、基板５８上の発光部からの光を収束させる、いわゆるセルフォックレンズアレイ（セルフォックレンズは登録商標）であり、基板５８に対して垂直方向（Ｙ方向）に設けられている。基板５８と収束部材６０との間には、光が通過する窓部６４が本体部６２に形成されている。
【００３４】
本体部６２は、例えばプラスチックから構成されている。この本体部６２は、長手方向両側にヘッド部６６，６８が設けられている。ヘッド部６６，６８には、それぞれ骨部７０，７２が形成されている。また、ヘッド部６６，６８は、本体部６２のＸ方向両側に設けられた外壁部７４，７６を介して接続されている。この外壁部７４，７６により基板５８と収束部材６０とが囲われている。基板５８と収束部材６０は本体部６２に接着固定されている。
【００３５】
フロント側のヘッド部６６には、外壁部７４，７６に続いて第一の位置決め壁７８，８０が形成されている。この第一の位置決め壁７８，８０には、第一のＹ方向位置決め面８２，８４が第一の位置決め壁７８，８０のＹ方向上面に形成されている。また、この第一の位置決め壁７８，８０には、第一のＸ方向位置決め面８６，８８が第一の位置決め壁７８，８０のＸ方向外面として形成されている。さらに、フロント側のヘッド部６６には、第一の抜け止め部９０がＺ方向に突出して形成されている。
【００３６】
リア側のヘッド部６８には、外壁部７４，７６に続いて第二の位置決め壁９２，９４が形成されている。この第二の位置決め壁９２，９４には、第二のＹ方向位置決め面９６，９８が第二の位置決め壁９２，９４のＹ方向上面に形成されている。また、この第二の位置決め壁９２，９４には、第二のＸ方向位置決め面１００，１０２が第二の位置決め壁９２，９４のＸ方向外面として形成されている。さらに、リア側のヘッド部６８は、第二の抜け止め部１０４が骨部７２からＺ方向に突出して形成されている。
【００３７】
図４乃至図８に示すように、光書込み装置４２は、上述した光書込み装置本体５６を保持する保持部１０６を有する。保持部１０６は、本体部６２と比較して剛性が高い例えば金属から構成され、断面コ字状に形成され、底部壁１０８とこの底部壁１０８から立ち上がる立ち上がり壁１１０，１１２から構成されている。
【００３８】
保持部１０６のフロント側においては、底部壁１０８からＹ方向下方に向けて取り付け部１０９が形成されている。この取り付け部１１０は、例えばボルト１１１を介して前述した画像形成装置本体１２のフレーム１１４に固定される。
【００３９】
また、保持部１０６のフロント側には、キャップ部材１１６が固定されている。このキャップ部材１１６には、第一の被抜け止め部１１８が形成されている。この第一の被抜け止め部１１８は、前述した第一の抜け止め部９０に対向し、フロント側において、光書込み装置本体５６が保持部１０６からＹ方向へ抜けるのを防止するようになっている。
【００４０】
保持部１０６のフロント側内部には、第一の作動部材１２０が設けられている。この第一の作動部材１２０は、第一の腕部１２２、第一のばね受け部１２４及び第一の本体押圧部１２６から構成されている。第一の腕部１２２は、保持部１０６に設けられた第一の軸１２８（図５に示す）によりＸＹ面で回転自在であるように支持されている。第一のばね受け部１２４は、第一のばね（第一の付勢部材）１３０の上端が当たっている。第一のばね１３０は、例えば圧縮コイルばねであり、該第一のばね１３０の下端が保持部１０６の底部壁１０８の内面に当たっており、第一の本体押圧部１２６を上方に移動するように付勢している。
【００４１】
この第一のばね１３０は、保持部１０６に設けられたボス１３２により位置決めされている。
【００４２】
第一の本体押圧部１２６は、フロント側の骨部７０の下面に当たっており、第一のばね１３０の付勢力により本体部６２をＹ方向上方へ押圧している。図５及び図６に示すように、前述した第一のＹ方向位置決め面８２，８４は、画像形成ユニット３０のユニット本体３２に形成された第一のＹ方向被位置決め面１３４に当たり、これにより本体部６２のフロント側Ｙ方向の位置決めがなされている。
【００４３】
また、図６に示すように、本体部６２の第一のＸ方向位置決め面８６，８８の一方は、画像形成ユニット３０のユニット本体３２に形成された第一のＸ方向被位置決め面１３６に当たっている。ユニット本体３２には、第二のばね保持部１３８が固定され、この第二のばね保持部１３８に、例えば板ばねから構成された第二のばね（第二の付勢部材）１４０が設けられている。この第二のばね１４０は、本体部６２の第一のＸ方向位置決め面８６，８８の他方を押圧しており、これにより本体部６２のフロント側Ｘ方向の位置決めがなされている。
【００４４】
保持部１０２のリア側においては、リア側固定部材１４２が保持部１０６に固定されている。リア側固定部材１４２は、Ｘ方向に突出する挿入突起１４４が設けられている。この挿入突起１４４は、画像形成装置本体１２のフレーム（図示せず）に挿入される。
【００４５】
第二の被抜け止め部１４６は、保持部１０２の立ち上がり壁１１０，１１２と一体に形成され、前述した本体部６２の第二の抜け止め部１０４に対向し、リア側において、光書込み装置本体５６が保持部１０６からＹ方向へ抜けるのを防止するようになっている。
【００４６】
保持部１０６のリア側内部には、第二の作動部材１４８が設けられている。この第二の作動部材１４８は、第二の腕部１５０、第二のばね受け部１５２及び第二の本体押圧部１５４から構成されている。第二の腕部１５０は、保持部１０６に設けられた第二の軸１５６（図８に示す）によりＸＹ面で回転自在であるように支持されている。第二のばね受け部１５２は、第三のばね（第三の付勢部材）１５８の上端が当たっている。第三のばね１５８は、例えば圧縮コイルばねであり、該第三のばね１５８の下端が保持部１０６の底部壁１０８の内面に当たっており、第二の本体押圧部１５４を上方に移動するように付勢している。
【００４７】
この第三のばね１５８は、保持部１０６に設けられたボス１６０により位置決めされている。
【００４８】
第二の本体押圧部１５４は、リア側の骨部７２の下面に当たっており、第三のばね１５８の付勢力により本体部６２をＹ方向上方へ押圧している。図７に示すように、前述した第二のＹ方向位置決め面９６，９８は、画像形成ユニット３０のユニット本体３２に形成された第二のＹ方向被位置決め面１６２に当たり、これにより本体部６２のリア側Ｙ方向の位置決めがなされている。
【００４９】
また、図７に示すように、本体部６２の第二のＸ方向位置決め面１００，１０２は、リア側固定部材１４２に形成された第二のＸ方向被位置決め面１６４，１６６に挟まれており、これにより本体部６２のリア側Ｘ方向の位置決めがなされている。
【００５０】
図４及び図８に示すように、本体部６２には、Ｚ方向位置決め部１６８，１７０が複数形成されている。この第一の実施形態においては、Ｚ方向位置決め部１６８，１７０は、リア側の骨部７２からＹ方向下方に向けて形態されているが、特に基板５８が配置された部分では外壁部７４，７６に形成することができる。
【００５１】
一方、複数のＺ方向位置決め部１６８，１７０に対応して、保持部１０６には固定部１７２，１７４が選択的に設けられる。固定部１７２，１７４は、保持部１０６の底部壁１０８から立ち上がる突き当て部１７６，１７８と、Ｚ方向位置決め部１６８，１７０を挟んでいる突き当て部１７６，１７８の反対側に設けられた第四のばね（第四の付勢部材）１８０，１８２とから構成されている。第四のばね１８０，１８２は、例えば板ばねからなり、取り付けねじ１８４，１８６により選択的に設けることができるようになっている。突き当て部１７６，１７８も同様に選択的に設けられる。本体部６２のＺ方向位置決め部１６８，１７０が突き当て部１７６，１７８に突き当てられ、第四のばね１８０，１８２の付勢力により押し付けられることにより、本体部６２のＺ方向の位置決めがなされる。
【００５２】
前述したように、本体部６２は細長いプラスチックから構成されているので、周囲にある振動源と共振周波数が合うと、共振しやすい。本体部６２が共振すると、光源がＸ方向、Ｙ方向に振動し、光源の焦点がずれ、画像にバンディング等を生じたりする。プロセススピードが一定であれば、振動源の周波数はほぼ一定であり、Ｚ方向の位置決め位置も共振周波数からずれる位置に設定すればよい。
ところが、プロセススピードを複数設定する場合には、振動源の周波数が変化する。そこで、この第一の実施形態にあっては、固定部１７２，１７４を選択することによりＺ方向位置決め位置を選択できるようにし、プロセススピードが変わっても本体部６２の共振を防止する。
【００５３】
図９は、本発明に係る第二の実施形態を示す。
この第二の実施形態は、本体部６２の軸方向に複数の位置決め部１６８，１７０を設ける点は第一の実施形態と同様であるが、固定部１７２，１７４の構成を異にしている。
【００５４】
即ち、固定部１７２，１７４は、Ｌ字状の突き当て部１７６，１７８を有する。この突き当て部１７６，１７８は、立ち上がり部１８８，１９０と底面部１９２，１９４とから構成されている。立ち上がり部１８８，１９０が位置決め部１６８，１７０のＺ方向一方側の面に当たる。底面部１９２，１９４には、第四のばね１８０，１８２が第一の取付けねじ１９６，１９８により固定され、第四のばね１８０，１８２が位置決め部１６８，１７０の他方側の面を押圧する。突き当て部材１７６，１７８の底面部１９２，１９４は、第二の取付けねじ２００，２０２により保持部１０６の底部壁１０８に選択的に固定される。第二の取付けねじ２００，２０２により固定部１７２，１７４全体を選択的に固定することができる。
【００５５】
図１０は、本発明に係る第三の実施形態を示す。
この第三の実施形態は、固定部１７２をＺ方向に反転することで位置決め部１６８，１７０を選択的に固定するようにしたものである。
【００５６】
即ち、突き当て部１７６は、Ｌ字状で立ち上がり部１８８と底面部１９２を有する点は第二の実施形態と同様であるが、第二の取付けねじ２００の取付け位置が位置決め部１６８，１７０の中心にある。図１０の実線で示すように、立ち上がり部１８８をリア側に設定した場合は、位置決め部１７０のリア側面が立ち上がり部１８８に当たり、第四のばね１８０が位置決め部１７０のフロント側面を押圧し、図１０の二点鎖線で示すように、立ち上がり部１８８をフロント側に設定した場合は、位置決め部１６８のフロント側面が立ち上がり部１８８に当たり、第四のばね１８０が位置決め部１７０のリア側面を押圧することで、位置決め部１６８，１７０を選択することができる。
【００５７】
なお、保持部１０６の底部壁１０８にはボス部２０４，２０６が設けられていると共に、突き当て部１７６の底面部１９２には、挿入孔２０８，２１０が形成され、ボス部２０４，２０６が挿入孔２０８，２１０に嵌り、突き当て部１７６のＸＺ面における回転方向の位置決めされるようになっている。
【００５８】
図１１は、本発明に係る第四の実施形態を示す。
この第四の実施形態においては、本体部６２に段差形成部２１２が設けられている。この段差形成部２１２は、リア側にＸＹ方向に複数の段差（この第四の実施形態においては４つ）が形成され、この段差部分が位置決め部１６８を構成している。突き当て部１７６は、段差形成部２１２の段差が形成されていないフロント側の面に突き当てられている。第四のばね１８０は、段差として形成された位置決め部１６８のいずれか一つを選択し、選択された段差部分を押圧するようになっている。
【００５９】
図１２は、本発明に係る第五の実施形態を示す。
この第五の実施形態は、第四の実施形態と同様に、本体部６２に段差形成部２１２が設けられている。第四の実施形態と異なるのは、突き当て部１７６が選択的に段差形成部２１２の段差として形成された位置決め部１６８に突き当てられ、第四のばね１８０が段差形成部２１２のフロント側の面を押圧するようになっている点である。
【００６０】
図１３及び図１４は、本発明に係る第六の実施形態を示す。
図１３は、制御部を示すブロック図である。
この第六の実施形態においては、画像形成装置１０内に設けられた本体制御部２１４から画像形成装置１０内あるいは前述した光書込み装置４２の基板５８に設けられた光書込み制御部２１６へ画像データが送られる。光書込み制御部２１６は、本体制御部２１４から送られた画像データをＬＥＤ店頭信号に変換する。光制御部２１６で変換されたＬＥＤ点灯信号は、基板５８に設けられたＬＥＤ駆動部２１８に送られ、ＬＥＤ光源の点灯制御が行われる。また、基板５８には、ＬＥＤ制御を行うために必要なデータが格納されているメモリ２２０が設けられている。
【００６１】
図１４は、発光点と位置決め部との寸法関係を示す図である。
幅Ｘ０は、基準となる光源２２２と第一の位置決め部２２４との距離を示す。幅Ｘ１は、第一の位置決め部２２４と第二の位置決め部２２６との距離を示す。幅Ｘ２は第一の位置決め部２２４と第三の位置決め部２２８との距離を示す。これら幅Ｘ０、Ｘ１及びＸ２は予め測定され、前述したメモリ２２０に格納されている。
【００６２】
基準となる光源２２２の位置は、光源を検査する場合に必要となる。一方、位置決め部２２４〜２２８のいずれかが選択された場合は、基準となる光源２２２の位置がずれ、補正する必要がある。メモリ２２０に幅Ｘ０、Ｘ１、Ｘ２のデータを格納しておけば、検査時の補正が可能であり、また、検査設備を共通化することができる。
【符号の説明】
【００６３】
１０      ：画像形成装置
２６      ：中間転写ベルト
３０      ：画像形成ユニット
３２      ：ユニット本体
３４      ：像保持体
４２      ：光書込み装置
５６      ：光書込み装置本体
５８      ：基板
６０      ：収束部材
６２      ：本体部
６４      ：窓部
６６      ：スリーブ
１０６    ：保持部
１６８，１７０  ：Ｚ方向位置決め部
１７２，１７４  ：固定部
１７６，１７８  ：突き当て部
１８０，１８２  ：第四の付勢部材
【図１】
0006447282.tif 000002
【図２】
0006447282.tif 000003
【図３】
0006447282.tif 000004
【図４】
0006447282.tif 000005
【図５】
0006447282.tif 000006
【図６】
0006447282.tif 000007
【図７】
0006447282.tif 000008
【図８】
0006447282.tif 000009
【図９】
0006447282.tif 000010
【図１０】
0006447282.tif 000011
【図１１】
0006447282.tif 000012
【図１２】
0006447282.tif 000013
【図１３】
0006447282.tif 000014
【図１４】
0006447282.tif 000015